(57)【特許請求の範囲】
【請求項１】
需要家が備えるエネルギシステムの一次エネルギ消費量を削減するため、前記エネルギシステムの改修を誘導する省エネルギ化支援装置であって、
外部からの情報を入力し、処理結果を表示する入出力部と、
前記一次エネルギ消費量を削減するための省エネルギ化対策ごとに、改修の対象となる設備種別及びその変更項目を示す仕様変更元情報と、前記改修をした結果としてさらに改修が必要となる設備種別及びその設備の設備仕様に関する情報である仕様値変数を示す影響先情報と、前記仕様変更元情報及び前記影響先情報の関係を定義する関係情報と、を含む設備仕様間関連情報が記憶される記憶部と、
（１）前記入出力部の表示部にＥＦ（Energy Flow）構造設定解析画面を表示させ、（２）前記エネルギシステムを構成する設備を前記ＥＦ構造設定解析画面に設定するごとに、当該設備の前記仕様値変数と、当該設備の運転指令値に関する情報である設定値変数と、当該設備の設備状態に関する情報である状態値変数と、これらの変数の間の関係式である内部状態計算式と、を含む設備オブジェクト情報を生成し、（３）前記設備間を接続する接続線を前記ＥＦ構造設定解析画面に設定するごとに、当該設備間の前記状態値変数を対応付ける情報である接続定義情報を含む接続線オブジェクト情報を生成し、前記エネルギシステムの構成を設定するＥＦ構造設定部と、
前記省エネルギ化対策ごとに、前記設備仕様間関連情報に基づいて、前記改修の対象となる設備種別とその変更項目とを前記ＥＦ構造設定解析画面に表示し、ユーザにより変更された前記変更項目と前記関係情報とに基づいて、前記影響先情報に示される改修が必要な設備種別に対応する設備の前記仕様値変数についての参考値を計算し、当該設備と当該計算された参考値とを、前記ＥＦ構造設定解析画面に表示することにより改修操作を誘導するＥＦ構造改修操作誘導部と、
前記ＥＦ構造設定部により設定されたエネルギシステムの一次エネルギ消費量と、前記ＥＦ構造改修操作誘導部により改修されたエネルギシステムの一次エネルギ消費量とを比較する省エネ効果解析部と、
を備えることを特徴とする省エネルギ化支援装置。
【請求項２】
前記ＥＦ構造改修操作誘導部は、
前記設備仕様間関連情報に含まれる前記影響先情報の前記設備種別に基づいて、前記ＥＦ構造設定部が前記設備オブジェクト情報を生成した前記設備を探索することにより、改修が必要な設備を特定する対象設備探索部と、
前記設備仕様間関連情報に含まれる前記関係情報に基づいて、前記対象設備探索部が特定した前記改修が必要な設備の前記仕様値変数についての前記参考値を計算する仕様変更参考値計算部と、
をさらに備えることを特徴とする請求項１に記載の省エネルギ化支援装置。
【請求項３】
前記ＥＦ構造改修操作誘導部は、
前記表示部に前記省エネルギ化対策の選択肢を表示させ、前記ユーザにより選択された前記省エネルギ化対策について、前記省エネルギ化対策ごとに変更が必要な対象設備とその変更項目を表示し、前記ユーザにより変更された当該変更項目と前記設備仕様間関連情報とに基づいて、前記対象設備探索部が特定した改修が必要な設備を区別表示し、当該改修が必要な設備の前記仕様値変数について前記仕様変更参考値計算部により計算された参考値を、前記ＥＦ構造設定解析画面に表示することにより改修操作を誘導すること
を特徴とする請求項２に記載の省エネルギ化支援装置。
【請求項４】
前記エネルギシステムを構成する設備ごとに、前記設備オブジェクト情報に含まれる前記仕様値変数及び前記設定値変数の値を取得して、前記内部状態計算式に基づいて前記設備内の前記状態値変数を計算し、前記設備間を接続する接続線の前記接続線オブジェクト情報に含まれる前記接続定義情報に基づいて接続先の前記設備の前記状態値変数を設定することにより、前記エネルギシステムの１時刻断面の状態計算を行う断面状態計算部と、
前記断面状態計算部により所定期間の各時刻断面の前記状態計算を行い、前記断面状態計算部により計算された各時刻断面の結果を集計する期間計算部と、
をさらに備えることを特徴とする請求項１ないし請求項３のいずれか１項に記載の省エネルギ化支援装置。
【請求項５】
前記省エネ効果解析部は、前記期間計算部により計算された所定期間の前記状態計算の結果に基づき、前記一次エネルギ消費量を計算することを特徴とする請求項４に記載の省エネルギ化支援装置。
【請求項６】
需要家が備えるエネルギシステムの一次エネルギ消費量を削減するため、前記エネルギシステムの改修を誘導する省エネルギ化支援装置に用いられる省エネルギ化支援方法であって、
前記省エネルギ化支援装置は、
外部からの情報を入力し、処理結果を表示する入出力部と、
前記一次エネルギ消費量を削減するための省エネルギ化対策ごとに、改修の対象となる設備種別及びその変更項目を示す仕様変更元情報と、前記改修をした結果としてさらに改修が必要となる設備種別及びその設備の設備仕様に関する情報である仕様値変数を示す影響先情報と、前記仕様変更元情報及び前記影響先情報の関係を定義する関係情報と、を含む設備仕様間関連情報が記憶される記憶部と、を備え、
（１）前記入出力部の表示部にＥＦ（Energy Flow）構造設定解析画面を表示させ、（２）前記エネルギシステムを構成する設備を前記ＥＦ構造設定解析画面に設定するごとに、当該設備の前記仕様値変数と、当該設備の運転指令値に関する情報である設定値変数と、当該設備の設備状態に関する情報である状態値変数と、これらの変数の間の関係式である内部状態計算式と、を含む設備オブジェクト情報を生成し、（３）前記設備間を接続する接続線を前記ＥＦ構造設定解析画面に設定するごとに、当該設備間の前記状態値変数を対応付ける情報である接続定義情報を含む接続線オブジェクト情報を生成し、前記エネルギシステムの構成を設定し、
前記省エネルギ化対策ごとに、前記設備仕様間関連情報に基づいて、前記改修の対象となる設備種別とその変更項目とを前記ＥＦ構造設定解析画面に表示し、ユーザにより変更された前記変更項目と前記関係情報とに基づいて、前記影響先情報に示される改修が必要な設備種別に対応する設備の前記仕様値変数についての参考値を計算し、当該設備と当該計算された参考値とを、前記ＥＦ構造設定解析画面に表示することにより改修操作を誘導し、
前記設定した場合のエネルギシステムの一次エネルギ消費量と、前記改修した場合のエネルギシステムの一次エネルギ消費量とを比較すること、
を特徴とする省エネルギ化支援方法。
【発明の詳細な説明】
【技術分野】
【０００１】
本発明は、省エネルギ化支援装置及び省エネルギ化支援方法に関する。
【背景技術】
【０００２】
工場やビルなどの需要家のエネルギシステムは、外部の事業者から供給される一次エネルギ（電気、ガス、油など）を変換して、空調や生産設備などを稼動させるのに必要なユーティリティ（冷水、温水、蒸気、圧縮空気など）を生成するものである。このエネルギシステムは、例えば、冷水であれば、水を冷却する冷凍機や、冷水を搬送するポンプ、配管など、複数の設備から構成される。
【０００３】
このエネルギシステム全体が消費する一次エネルギの量は、需要家に供給するユーティリティの量が同じであっても、そのシステムを構成する設備の性能が異なれば変化する。また、設備単体の性能が同じであっても、一般に、設備の性能は運転出力によって変化するので、複数台ある設備の出力配分が異なれば、エネルギシステム全体が消費する一次エネルギの量は変化する。つまり、設備構成や運転指令値を調整することによって、システム全体のエネルギ効率を向上できる可能性がある。
【０００４】
ただし、設備の改修には投資が必要となるため、実際に改修する前にその効果を定量的に精度良く把握することが重要になる。つまり、改修前と改修後のエネルギシステムにおいて、同じユーティリティ量を供給するのに必要な一次エネルギの消費量を試算し、改修後の改修前に対する削減量を評価する必要がある。
この一次エネルギ削減量評価技術として、エネルギシステムのシステム系統図を表示し、実際の運転と、新たな機器を追加する仮想の運転とにおける一次エネルギ消費量を比較する、エネルギシステムの運用評価に関する技術がある（例えば、特許文献１参照）。
【特許文献１】特開２００１−２７３００６号公報
【発明の開示】
【発明が解決しようとする課題】
【０００５】
しかしながら、特許文献１に記載のエネルギシステムの運用評価技術は、改修後のエネルギシステム構成の作成自体を支援するものではない。既存のエネルギシステムのエネルギ効率を向上させる新たな改修案を作成するためには、単に改修後のエネルギシステムの一次エネルギ消費量を試算するだけではなく、その設備に関する知識、設備を接続する際の条件（設備の仕様に関する条件、運転指令値に関する条件）などの様々なノウハウが必要であり、このノウハウがなければ、適切なエネルギシステム構成を見出すことはできない。また、このノウハウを有していても、エネルギシステムは複数の設備が複雑に組み合わされて構成されるので、エネルギ効率を向上させた新たな改修案を作成するのに相当の時間を要するものである。
なお、以下において記述するエネルギシステム構成とは、単に設備の配置を意味するのではなく、設備を接続する際の条件（設備の仕様に関する条件、運転指令値に関する条件）などを含めたシステムの運用に関する各種の設定も含むものである。
【０００６】
このような背景に鑑みて本発明がなされたのであり、本発明は、エネルギシステムの一次エネルギ消費量を削減する改修案の作成に要する時間を減縮することができる省エネルギ化支援装置及び省エネルギ化支援方法を提供することを目的とする。
【課題を解決するための手段】
【０００７】
前記した課題を解決するために本発明の省エネルギ化支援装置及び省エネルギ化支援方法は、外部からの情報を入力し処理結果を表示する入出力部と、一次エネルギ消費量を削減するための省エネルギ化対策ごとに、改修の対象となる設備種別及び変更項目と影響先の設備種別及び仕様値変数とそれらの関係を定義する関係情報とを含む設備仕様間関連情報が記憶される記憶部と、を備えた省エネルギ化支援装置が、エネルギシステム構成を設定し、一次エネルギ消費量を削減するための省エネルギ化対策を入出力部に表示する。そして、ユーザが選択した省エネルギ化対策について、ＥＦ構造改修操作誘導部が、記憶部に記憶された設備仕様間関連情報に基づいて、エネルギシステム構成で改修が必要な設備の仕様値変数についての参考値を計算することにより改修作業を誘導する。さらに、省エネ効果解析部が、基準となるエネルギシステムの一次エネルギ消費量と、改修されたエネルギシステムの一次エネルギ消費量とを比較することを特徴とする。
【発明の効果】
【０００８】
本発明によれば、エネルギシステムの一次エネルギ消費量を削減する改修案の作成に要する時間を減縮することができる省エネルギ化支援装置及び省エネルギ化支援方法を提供することができる。
【発明を実施するための最良の形態】
【０００９】
次に、本発明を実施するための最良の形態（「実施形態」という）について、適宜図面を参照しながら詳細に説明する。
【００１０】
本発明の省エネルギ化支援装置及び省エネルギ化支援方法は、工場やビルなどのエネルギ需要家（以下、単に、需要家という）に設置されているエネルギシステムについて、与えられた負荷需要データに対して、一次エネルギ消費量をシミュレーションする。さらに、エネルギシステム構成を改修することで、一次エネルギ消費量を削減することができるエネルギシステムの改修案を作成できるものである。
なお、本実施形態において需要家のエネルギシステムとは、処理対象のエネルギー形態（電気、冷水、温水、蒸気、圧縮空気など）やその条件（電圧、温度、流量、圧力、量）を変化させて負荷設備へ供給するものである。本発明の省エネルギ化支援装置及び省エネルギ化支援方法は、外部の事業者から供給される一次エネルギを変換して、空調や生産設備など（負荷設備）を稼動させるのに必要なユーティリティ（冷水、温水、蒸気、圧縮空気など）を生成するエネルギシステムの省エネルギ化を支援する。ここでは、本実施形態を詳細に説明するため、ユーティリティとしての冷水を冷水負荷に供給する冷熱供給システムを一例として以下説明を行う。ちなみに熱源機器は、温熱源機器（ボイラやヒータなど）、冷熱源機器（クーラなど）を総称したものである。
【００１１】
図２は、本実施形態に係る省エネルギ化支援装置及び省エネルギ化支援方法を適用するエネルギシステムの一例である冷熱供給システムの構成を示した図である。
図２に示す冷熱供給システム２００において、図中の四角や丸は設備を示し、それらの間の線は設備間が冷水配管で繋がれていることを示している。また、矢印の向きは冷水が流れる方向を示している。ここで、ターボ冷凍機２０１，２０２は、電気で駆動され、水を冷却する装置である。吸収式冷凍機２０３は、ガスで駆動され、水を冷却する装置である。冷水ヘッダ２０７，２０８は、複数の冷水の流れを集約又は分岐する設備である。この冷水ヘッダは、ターボ冷凍機２０１，２０２及び吸収式冷凍機２０３から後記する冷水負荷２１０までの冷水の流れの間にあるヘッダを冷水ヘッダ（往）２０７とし、冷水負荷２１０からターボ冷凍機２０１，２０２及び吸収式冷凍機２０３までの冷水の流れの間にあるヘッダを冷水ヘッダ（還）２０８とする。Ｐ１及びＰ２は、冷水を搬送するポンプを示し、冷水ヘッダ（往）２０７よりも冷凍機側にあるものを冷水一次ポンプＰ１２０４，２０５，２０６とし、冷水ヘッダ（往）２０７よりも冷水負荷２１０側にあるものを冷水二次ポンプＰ２２０９とする。また、冷水負荷２１０は、冷水のもつ冷熱によって空気を冷却し、室内の温度を下げる空調設備などを総合的に表すものである。
【００１２】
なお、この冷熱供給システム２００において、例えば、冷水負荷２１０の量が同じであっても、冷凍機やポンプの性能が異なれば、システム全体が消費する一次エネルギの量は変化する。また、機器単体の性能が同じであっても、一般に機器の性能は、運転出力によって変化するので、複数台ある設備（例えば冷凍機）の出力配分が異なれば、システム全体が消費する一次エネルギの量は変化する。
【００１３】
図１は、本実施形態に係る省エネルギ化支援装置の構成例を示す機能ブロック図である。
省エネルギ化支援装置１は、制御部１０と、入出力部２０と、解析中データ管理部３０と、記憶部４０とを含んで構成される。
【００１４】
入出力部２０は、制御部１０が処理した結果を表示する表示部を備えたモニタ２１と、外部からの省エネルギ化支援装置１への指示を受け付けるキーボード２２と、マウス２３とを含んで構成される。
この入出力部２０は、ユーザが改修しようとするエネルギシステムに関する設備の新たな設定項目や、各処理の実行指示などを、キーボード２２やマウス２３を介して入力する。また、制御部１０が設定したエネルギシステム構成や計算結果などをモニタ２１の表示部に表示する。
【００１５】
次に、制御部１０は、ＥＦ構造設定部１１と、断面状態計算部１２と、期間計算部１３と、解析情報管理部１４と、省エネ効果解析部１５と、ＥＦ構造改修操作誘導部１６とを含んで構成される。なお、この制御部１０は、例えば省エネルギ化支援装置１の記憶部４０に格納されたプログラムをＣＰＵ（Central Processing Unit）がＲＡＭ（Random Access Memory）に展開し実行することで実現される。
【００１６】
ＥＦ構造設定部１１は、モニタ２１の表示部にエネルギシステム構成を設定するためのＥＦ構造設定解析画面を表示させ、このＥＦ構造設定解析画面がユーザにより操作されることにより各設備に関する条件を決定するＧＵＩの機能を有し、エネルギシステム構成の設定を行う。
図３は、ＥＦ構造設定部の制御により、モニタの表示部に表示されるＥＦ構造設定解析画面の一例を示す図である。図３に示すように、ＥＦ構造設定解析画面３００は、エネルギシステム構成作図領域３１０と、ツール領域３２０とを含んで構成される。
【００１７】
ツール領域３２０には、各種の設備を表す図形が予め描画配置されている。例えば、ユーザが、ツール領域３２０上のいずれかの設備の図形をマウス２３でクリックすることにより該図形を選択し、次にエネルギシステム構成作図領域３１０内の配置したい位置にクリックすることにより、ＥＦ構造設定部１１は、選択された設備の図形を、エネルギシステム構成作図領域３１０の指定された場所に描画する。また、ツール領域３２０には、設備間を接続する接続線（配管）が図形として描画配置されている。例えば、ユーザが、ツール領域３２０上の接続線をクリックすることにより該接続線を選択し、エネルギシステム構成作図領域３１０内の２つの設備の図形を連続してクリックすることにより、ＥＦ構造設定部１１は、指定された２つの設備の図形を選択された接続線で接続するよう描画する。なお、図３においては、図２に示す冷熱供給システム２００がエネルギシステム構成作図領域３１０上に設定されている例を示している。
【００１８】
また、ＥＦ構造設定部１１は、エネルギシステム構成作図領域３１０におけるユーザの設定内容を、ＥＦ構造モデルデータ３１（図１参照）として、解析中データ管理部３０内に生成する。さらに、ＥＦ構造設定部１１は、記憶部４０内の解析情報ＤＢ（Data Base）４１に記憶されているＥＦ構造モデルデータ３１を、後記する解析情報管理部１４が解析中データ管理部３０内にコピーすると、解析中データ管理部３０に新たに生成されるＥＦ構造モデルデータ３１に基づいて、エネルギシステム構成作図領域３１０の描画内容を更新する。
【００１９】
さらにＥＦ構造設定部１１は、エネルギシステム構成作図領域３１０内に設備が描画されると同時に、その設備に関連するデータを解析中データ管理部３０内のＥＦ構造モデルデータ３１に生成する。この設備に関連するデータ一式をその設備の設備オブジェクト情報とする。
【００２０】
図４は、本実施形態に係る設備オブジェクト情報のデータ構造の一例を示す図である。図４に示すように、設備オブジェクト情報４００は、設備を特定するための設備識別子データ４１０と、設備名データ４２０と、設備種別データ４３０と、設備仕様に関するデータである仕様値変数４４０と、運転指令値に関するデータである設定値変数４５０と、設備状態に関するデータである状態値変数４６０と、これらの変数の間の関係式である内部状態計算式４７０とを含んで構成される。また、設備オブジェクト情報４００には、エネルギシステム構成作図領域３１０内の描画位置を示す座標データや図形の形状データなど、描画のためのデータも含まれる。ＥＦ構造設定部１１は、この設備オブジェクト情報４００をＥＦ構造モデルデータ３１内に生成する。
【００２１】
図５と図６に、ＥＦ構造設定部１１が生成する設備オブジェクト情報４００の具体的なデータの例を示す。図５は、図２に示す冷熱供給システムにおいて、ＥＦ構造設定部が、ターボ冷凍機について、設備オブジェクト情報を生成した例を示している。
【００２２】
図５に示すように、ターボ冷凍機２０１の設備オブジェクト情報４００には、設備識別子データ４１０、設備名データ４２０、そして設備種別データ４３０に加えて、仕様値変数４４０として、冷却出力の最大能力を示す最大出力、最大出力時の消費電力を示す最大入力、冷水の流量の規定値を示す定格冷水流量、冷却水の流量の規定値を示す定格冷却水流量、及び冷水を冷却する温度差の規定値を示す冷水出入口温度差仕様の各データを備える。また、設定値変数４５０として、ターボ冷凍機２０１で冷却されて供給される冷水の温度の制御目標値を示す冷水出口温度設定のデータを備える。さらに、状態値変数４６０として、ターボ冷凍機２０１に供給される水の温度を示す冷水入口温度、ターボ冷凍機で冷却されて供給される冷水の温度を示す冷水出口温度、ターボ冷凍機を通過する冷水の流量を示す冷水流量、ターボ冷凍機の運転のために供給される冷却水の温度を示す冷却水入口温度、冷却水がターボ冷凍機を通過して放出される温度を示す冷却水出口温度、冷却水の流量を示す冷却水流量、ターボ冷凍機が水を冷却する冷熱量を示す冷凍出力、及びターボ冷凍機が消費した電力を示す消費電力の各データを備える。また、内部状態計算式４７０として、冷水流量、冷水入口温度、及び冷水出口温度を用いて消費電力を計算する計算式（消費電力＝冷水流量×(冷水入口温度−冷水出口温度)÷最大出力×最大入力×単位換算係数）などを備えている。
【００２３】
図６は、図２に示す冷熱供給システムにおいて、ＥＦ構造設定部が、冷水負荷の設備オブジェクト情報を生成した例を示している。
図６に示すように、冷水負荷２１０の設備オブジェクト情報４００には、設備識別子データ４１０、設備名データ４２０、そして設備種別データ４３０に加えて、仕様値変数４４０として、冷水負荷２１０が必要とする冷水の温度の許容上限値を示す冷水入口温度上限、及び冷水負荷２１０で冷熱を放出して出てくる冷水の温度の上限を示す冷水出口温度上限の各データを備える。また、設定値変数４５０として、冷水負荷２１０が必要とする冷熱量を示す冷水負荷量設定、及び例えば１日（２４時間）などの所定期間内の時間刻みの冷水負荷量を示す時間刻み冷水負荷量設定の各データを備える。さらに、状態値変数４６０として、冷水負荷２１０に供給される冷水の温度を示す冷水入口温度、冷水負荷２１０を通過して放出される冷水の温度を示す冷水出口温度、冷水負荷２１０を通過する冷水の流量を示す冷水流量、及び冷水が冷水負荷２１０を通過する際に放出する冷熱の量を示す冷水負荷量の各データを備える。また、内部状態計算式４７０として、冷水入口温度、冷水負荷量、及び冷水流量から冷水出口温度を計算する計算式（冷水出口温度＝冷水入口温度＋(冷水負荷量÷冷水流量)×単位換算係数）などを備えている。
なお、図示はしていないが、冷水ポンプについても、ＥＦ構造設定部１１が設備オブジェクト情報４００を生成する。そして、冷水ポンプの設備オブジェクト情報４００の中には、後記するインバータ化設定有無に関する情報が含まれている。
【００２４】
ＥＦ構造設定部１１は、例えば、ユーザがマウス２３を用いて、エネルギシステム構成作図領域３１０（図３参照）内の設備の図形を２回クリックすると、設備オブジェクト情報４００ごとに、上記の仕様値変数４４０や設定値変数４５０の値を設定するための手段である設備属性ダイアログをＥＦ構造設定解析画面３００上に表示する。設備属性ダイアログは、その設備オブジェクト情報４００に対応付けられている仕様値変数４４０や設定値変数４５０をユーザにより設定される欄を持ち、ユーザがその欄に入力することで、その仕様値変数４４０や設定値変数４５０の値を設定又は変更する。
【００２５】
また、ＥＦ構造設定部１１は、エネルギシステム構成作図領域３１０（図３参照）内の２つの設備の図形の間をツール領域３２０に設けられた接続線（配管）で接続描画すると、同時に、その接続線に関連するデータをＥＦ構造モデルデータ３１（図１参照）内に生成する。この接続線に関連するデータ一式をその接続線の接続線オブジェクト情報とする。
【００２６】
図７は、本実施形態に係る接続線オブジェクト情報のデータ構造の一例を示す図である。図７に示すように、接続線オブジェクト情報７００は、接続線を特定するための接続線識別子データのほか、接続線が接続する２つの設備の設備識別子データ、及び接続する２つの設備の状態値変数４６０（図４参照）を対応付けるデータである接続情報定義データ（接続定義情報）７０１を含む。また、接続線オブジェクト情報７００には、エネルギシステム構成作図領域３１０（図３参照）内の描画位置を示す座標データや接続線の形状データなど、描画のためのデータも含まれる。
【００２７】
図８は、図２の冷熱供給システムにおけるターボ冷凍機と冷水一次ポンプを接続する接続線の接続線オブジェクト情報の含まれる接続情報定義データを説明するための概念図である。
図８に示すように、ターボ冷凍機２０１の状態値変数４６０と、冷水一次ポンプＰ１２０４の状態値変数４６０とにおいて、それぞれの状態値変数４６０のうち対応関係にあるデータを線で結んでいる。具体的には、ターボ冷凍機２０１の状態値変数４６０の冷水出口温度と、冷水一次ポンプＰ１２０４の状態値変数４６０の冷水入口温度とが対応付けられている。また、ターボ冷凍機２０１の状態値変数４６０の冷水流量と、冷水一次ポンプＰ１２０４の状態値変数４６０の冷水流量とが対応付けられていることを示している。このように、ある設備の状態値変数４６０の値が決定すると、それに接続される他の設備の状態値変数４６０の値が対応付けられて決定することができる。ＥＦ構造設定部１１は、このような対応関係にある状態値変数４６０同士を接続情報定義データ７０１として、ＥＦ構造モデルデータ２１内に生成する。
【００２８】
この接続情報定義データ７０１は、ＥＦ構造設定部１１の制御により、例えば以下のようにして設定される。
ＥＦ構造設定部１１は、ユーザがマウス２３を用いて、エネルギシステム構成作図領域３１０（図３参照）内の接続線の図形を２回クリックすると、接続線ごとに、接続情報定義データ７０１を設定するための手段である接続線属性ダイアログをＥＦ構造設定解析画面３００上に表示する。接続線属性ダイアログは、その接続線が接続する２つの設備のうち、片方の設備の状態値変数４６０を列挙表示し、それぞれの状態値変数４６０の横に、もう一方の設備の状態値変数４６０をプルダウンリストで表示し、ユーザがその中の１つの状態値変数を選択することで、２つの設備の状態値変数間の対応付けを与える。
なお、ＥＦ構造設定部１１は、エネルギシステム構成作図領域３１０内に設備や接続線が描画されると同時に、記憶部４０内の設備仕様間関連情報（後記する図１０参照）を生成もしくは更新する。
【００２９】
図１に戻り、断面状態計算部１２は、解析中データ管理部３０内のＥＦ構造モデルデータ３１に基づいて、各設備の設備オブジェクト情報４００（図４参照）の状態値変数４６０を可能な限り確定させる処理を行う。その際、ユーザから与えられている、各設備の設備オブジェクト情報４００の仕様値変数４４０や設定値変数４５０の値を出発点として、これらの値を内部状態計算式４７０に代入して別の変数の値を決定し、接続線オブジェクト情報７００（図７参照）が持つ接続情報定義データ７０１に基づいて別の変数にコピーし、これを繰り返すことにより、ＥＦ構造モデルデータ３１全体の状態値変数４６０を可能な限り確定させる。このＥＦ構造モデルデータ３１の１時刻断面の状態を確定させる処理を、以下、状態計算という。
【００３０】
そして、断面状態計算部１２は、状態計算をした結果のデータ一式を、状態計算結果データ３２として、解析中データ管理部３０内に生成する。
ここで、断面状態計算部１２では、１時刻断面の状態計算を行うことから、例えば、図６の冷水負荷の設定値変数４５０のうち、複数の時刻断面の負荷量を与える変数である時間刻み冷水負荷量設定は、断面状態計算部１２の計算から除外される。一方、同じ冷水負荷の設定値変数４５０であっても、１時刻断面の負荷量を与える変数である冷水負荷量設定の値は、断面状態計算部１２により使用される。
【００３１】
なお、断面状態計算部１２の処理は、モニタ２１上の表示部に表示されたＥＦ構造設定解析画面３００（図３参照）のツール領域３２０に設けられた断面状態計算３２１の釦がユーザによりマウス２３やキーボード２２で選択されることで実行される。ただし、接続情報定義データ７０１（図７参照）、仕様値変数４４０、設定値変数４５０の値が未設定などにより、ＥＦ構造モデルデータ３１のすべての状態変数の値を確定させることができないケースも発生し得るが、その場合、断面状態計算部１２は「状態確定せず」のメッセージをＥＦ構造設定解析画面３００上に表示する。
【００３２】
期間計算部１３は、１時刻断面の状態計算を行う断面状態計算部１２の計算結果に基づき、所定期間内の各時刻断面の状態計算を行い、各時刻断面の状態計算結果の各種の状態変数のデータを集計する処理を行う。例えば、各設備ごとの所定期間内のトータルの消費電力を求めたり、全設備の所定期間内のトータルの消費電力を求めることなどを行う。期間計算部１３は、複数の時刻断面の負荷量のデータを１つずつ参照し、これを１時刻断面の負荷量を与える設定値変数４５０に設定し、断面状態計算部１２を実行させて、その時刻断面の状態計算を行う。そして、これを時刻断面の数だけ繰り返すことで、全時刻断面の状態計算を処理する。図６の冷水負荷の設備オブジェクト情報の例で説明すると、設定値変数４５０の時間刻み冷水負荷量設定に設定されている２４個（２４時間分）の負荷量データＬ１、Ｌ２、Ｌ３、・・・、Ｌ２４から、まず、Ｌ１を抽出して、これを冷水負荷量設定に設定し、断面状態計算部１２を実行させる。その状態計算結果を解析中データ管理部３０に保存しておき、次に、Ｌ２を抽出して、これを冷水負荷量設定に設定し、再度、断面状態計算部１２を実行させる。これを２４回繰り返すことで、全時刻断面（２４時間分）の状態計算を処理する。
期間計算部１３は、期間計算結果のデータ一式を、期間計算結果データ３３として、解析中データ管理部３０内に生成する。
【００３３】
なお、期間計算部１３の処理は、モニタ２１上の表示部に表示されたＥＦ構造設定解析画面３００（図３参照）のツール領域３２０に設けられた期間計算３２２の釦がユーザによりマウス２３やキーボード２２で選択されることで実行される。
【００３４】
解析情報管理部１４は、解析中データ管理部３０内に生成されている、ＥＦ構造モデルデータ３１、状態計算結果データ３２、及び期間計算結果データ３３を、ＥＦ構造モデルデータ３１の識別子に対応付けて、記憶部４０内の解析情報ＤＢ４１に格納保存する。また、モニタ２１上の表示部に表示されたＥＦ構造設定解析画面３００（図３参照）のツール領域３２０に設けられたＥＦ構造モデルデータ一覧３２３の釦がユーザによりマウス２３やキーボード２２で選択されると、ＥＦ構造設定部１１の処理により、記憶部４０内の解析情報ＤＢ４１に記憶されているＥＦ構造モデルデータ３１の識別子のリストをＥＦ構造設定解析画面３００上に表示する。そして、ユーザがそのＥＦ構造モデルデータ３１の識別子の１つをマウス２３やキーボード２２を用いて選択すると、解析情報管理部１４は、選択された識別子に対応するデータである、ＥＦ構造モデルデータ３１、状態計算結果データ３２、及び期間計算結果データ３３を、記憶部４０内の解析情報ＤＢ４１から読み出し、解析中データ管理部３０内にコピーする。
【００３５】
省エネ効果解析部１５は、解析情報ＤＢ４１に記憶されている２つのＥＦ構造モデルデータ３１に関する期間計算結果データを比較する。具体的には、基準となるＥＦ構造モデルデータ３１の期間計算結果データと、ＥＦ構造改修操作誘導部１６の処理により改修したＥＦ構造モデルデータ３１の期間計算結果データとをモニタ２１の表示部にユーザが比較できるように表示する処理を行う。
【００３６】
図９は、省エネ効果解析部の処理による省エネ効果比較表の一例を示す。
図９に示すように、省エネ効果比較表９００は、基準ケースと改修ケースとの所定期間内におけるトータルの、電力の消費量とＣＯ２排出量とコスト、ガスの消費量とＣＯ２排出量とコスト、Ａ重油の消費量とＣＯ２排出量とコストをそれぞれ比較している。省エネ効果解析部１５は、作成した省エネ効果比較表９００をモニタ２１の表示部に表示する。また、省エネ効果解析部１５は、この比較データ一式を記憶部４０内の事例ＤＢ４３に格納保存する。この比較データ一式には、省エネ効果比較表９００と、その識別子と、比較した２つのケースのＥＦ構造モデルデータ３１の識別子とを含む。
【００３７】
図１に戻り、ＥＦ構造改修操作誘導部１６は、ユーザが選択した一次エネルギ消費量を削減するための省エネルギ化対策について、記憶部４０内の設備仕様間関連情報ＤＢ４２に基づき、仕様の変更が必要となる設備と変更項目とをユーザに提示する。そして、ＥＦ構造改修操作誘導部１６は、ユーザにより新たに設定された変更項目に基づき、その影響先として改修が必要な設備の仕様値変数の参考値を計算し、ユーザに提示することで改修操作を誘導する。
また、ＥＦ構造改修操作誘導部１６は、対象設備探索部１６１と仕様変更参考値計算部１６２とを含んで構成される。
【００３８】
対象設備探索部１６１は、ＥＦ構造改修操作誘導部１６が設備仕様間関連情報ＤＢ４２から取得した影響先データの設備種別データについて、解析中データ管理部３０のＥＦ構造モデルデータ３１に含まれる設備オブジェクト情報４００のうち、その設備種別データ４３０と一致するものを抽出し、抽出した設備種別データ４３０に該当する設備の設備識別子データ４１０をＥＦ構造改修操作誘導部１６に引き渡す。つまり、対象設備探索部１６１は、ユーザが変更項目の設定を行ったことにより、その影響先として改修が必要となる設備を特定する。
【００３９】
また、仕様変更参考値計算部１６２は、ＥＦ構造改修操作誘導部１６が設備仕様間関連情報ＤＢ４２から取得した関係データ（後記する図１０参照）に記述されている計算式に従って、計算式の左辺が示す影響先データの仕様値変数１０３２の値を、計算式の右辺が示す仕様変更元データ１０２０のユーザが設定した変更項目１０２２の値に基づいて計算し、その値をＥＦ構造改修操作誘導部１６に引き渡す。つまり、仕様変更参考値計算部１６２は、ユーザが変更項目の設定を行ったことにより、その影響先として改修が必要となった設備における適切な仕様値変数４４０を参考値として計算する。
【００４０】
図１の解析中データ管理部３０は、ＲＡＭなどの一次記憶装置や、その機能の一部をハードディスク等の補助記憶装置が実現する記憶手段であり、ＥＦ構造設定部１１が設定したＥＦ構造モデルデータ３１、断面状態計算部１２が計算した状態計算結果データ３２、期間計算部１３が計算した期間計算結果データ３３などを一時的に記憶する。
【００４１】
記憶部４０は、ハードディスクやフラッシュメモリなどの補助記憶装置からなり、解析情報ＤＢ４１と、設備仕様間関連情報ＤＢ４２と、事例ＤＢ４３とを含んで構成される。
【００４２】
解析情報ＤＢ４１は、解析中データ管理部３０内に一時的に記憶されたＥＦ構造モデルデータ３１と、状態計算結果データ３２と、期間計算結果データ３３とを、ＥＦ構造モデルデータ３１の識別子に対応付けて解析情報管理部１４の制御により記憶する。
【００４３】
事例ＤＢ４３は、省エネ効果解析部１５が解析した省エネ効果比較表９００（図９参照）と、その省エネ効果比較表９００を識別する識別子、比較した２つのＥＦ構造モデルデータ３１の識別子などを、省エネ効果解析部１５の制御により記憶する。
【００４４】
設備仕様間関連情報ＤＢ４２は、省エネルギ化対策ごとに仕様変更元となるデータとその影響先となるデータとの関連を示す設備仕様間関連情報を記憶する。
図１０は、本実施形態に係る設備仕様間関連情報の一例を示している。図１０に示すように、設備仕様間関連情報１０００は、省エネルギ化対策ごとの、識別子１０１０、仕様変更元データ（仕様変更元情報）１０２０、影響先データ（影響先情報）１０３０、及び関係データ（関係情報）１０４０を含んで構成される。
【００４５】
識別子１０１０は、エネルギシステムの一次エネルギ消費量を削減する省エネルギ化対策を識別する識別子であり、例えば「冷熱系大温度差化」「冷水二次ポンプインバータ化」などの省エネルギ化対策である。また、仕様変更元データ１０２０は、ユーザが省エネルギ化対策を選択することにより、変更が必要となる設備種別とその変更項目とを示すものであり、設備種別データ１０２１と、変更項目１０２２とを含む。影響先データ１０３０は、ユーザが変更項目の設定を行ったことにより、その影響先として改修が必要となる設備種別とその仕様値変数とを示すものであり、設備種別データ１０３１と、仕様値変数１０３２とを含む。また、関係データ１０４０は、影響先データ１０３０の設備種別データ１０３１に該当する設備の設備オブジェクト情報４００の仕様値変数１０３２の値を、仕様変更参考値計算部１６２が参考値として計算するための計算式を設定する。
【００４６】
ここで、図１０に示す設備仕様間関連情報１０００を具体的に説明すると、省エネルギ化対策として「冷熱系大温度差化」をユーザが選択した場合は、設備種別データ１０２１として「冷水負荷」、変更項目１０２２として「冷水負荷出入口温度差設定」（図６の仕様値変数４４０の「冷水入口温度上限」と「冷水出口温度上限」の設定）が、仕様変更元データ１０２０として示される。そして、この変更項目１０２２を変更した場合の影響先データ１０３０として、「冷水二次ポンプ」の「定格流量」（符号１００１のケース）と、「冷凍機」の「冷水出入口温度差仕様」（符号１００２のケース）の２つのケースがあることを示している。
【００４７】
また、関係データ１０４０は、影響先データ１０３０の仕様値変数１０３２を、仕様変更元データ１０２０の変更項目１０２２に基づいて計算する計算式が設定され、例えば図１０の符号１００１のケースのように、[冷水二次ポンプ]定格流量＝[冷水負荷]冷水負荷量÷([冷水負荷]冷水出口温度上限−[冷水負荷]冷水入口温度上限)  などの関係式で示される。これは、設備種別データ１０３１の「冷水二次ポンプ」の設備の仕様値変数１０３２の「定格流量」の値を、設備種別データ１０２１の「冷水負荷」の「冷水負荷量設定」と、「冷水負荷」の変更項目１０２２である「冷水出口温度上限」及び「冷水入口温度上限」を用いて計算することを示している。
【００４８】
本実施形態に係る省エネルギ化支援装置及び省エネルギ化支援方法は、この設備仕様間関連情報ＤＢ４２に、省エネルギ化対策ごとの設備仕様間関連情報１０００を備えることにより、設備に関する知識や設備同士を接続する際の条件などのノウハウが不足している場合であっても、省エネルギ化対策を実現するため変更項目１０２２を変更した場合のその影響先の設備を抽出し、その影響先の設備の仕様値変数の参考値を計算することで、ＥＦ構造改修操作誘導部１６がユーザに適切な改修案を提示することができる。
【００４９】
（ＥＦ構造改修処理）
次に、図１〜図３、図６及び図１０を参照しつつ、図１１に沿って、本実施形態に係る省エネルギ化支援方法の処理を説明する。
図１１は、ＥＦ構造改修操作誘導部が行うＥＦ構造改修処理の流れを示すフローチャートである。
まず、モニタ２１（図１参照）の表示部に表示されたＥＦ構造設定解析画面３００（図３参照）のツール領域３２０内にある省エネルギ化対策選択領域３３０の中から、ユーザにより、省エネルギ化対策の中の１つが選択される（ステップＳ１１０１）。なお、ここでは、図２及び図３のエネルギシステム構成作図領域３１０に示された冷熱供給システム２００の改修案を作成するものとして具体的に説明する。また、省エネルギ化対策選択領域３３０の中から、冷熱系大温度差化３３１の釦がユーザのマウス２３による操作で選択されたものとする。
【００５０】
次に、ＥＦ構造改修操作誘導部１６（図１参照）は、ＥＦ構造設定解析画面３００上に、ユーザが省エネルギ化対策ごとに対応した変更項目を入力できるように誘導するためのメッセージを表示する（ステップＳ１１０２）。ここでは、冷熱系大温度差化の省エネルギ化対策に対応する「冷水負荷の冷水出入口温度差を現状より大きくなるように、冷水入口温度上限と冷水出口温度上限を設定してください。」というメッセージがダイアログとして表示される。このことによりユーザに対し、一次エネルギ消費量を削減するために、冷水入口温度上限と冷水出口温度上限とを変更する必要があることを伝える。
【００５１】
そして、変更項目の誘導メッセージが表示されると、ＥＦ構造改修操作誘導部１６は、エネルギシステム構成作図領域３１０（図３参照）において、ユーザが変更項目を設定する設備の区別表示を行う（ステップＳ１１０３）。ここでは、エネルギシステム構成作図領域３１０上の、冷水負荷について、例えばハイライト表示などの区別表示を行う。
【００５２】
次に、ＥＦ構造改修操作誘導部１６は、区別表示した設備の設備属性ダイアログを表示する（ステップＳ１１０４）。ここでは、冷水負荷２１０の設備オブジェクト情報４００（図６参照）のうち、変更項目として仕様値変数４４０の「冷水入口温度上限」と「冷水出口温度上限」がダイアログ表示される。
【００５３】
続いて、ユーザにより、設備属性ダイアログに表示された変更項目について、新たな値が入力される（ステップＳ１１０５）。ここでは、ユーザにより、冷水出入口温度差が大きくなるように、「冷水入口温度上限」と「冷水出口温度上限」が設定される。
【００５４】
次に、ＥＦ構造改修操作誘導部１６は、設備仕様間関連情報ＤＢ４２（図１参照）に記憶される設備仕様間関連情報１０００（図１０参照）に基づき、ユーザがステップＳ１１０１で選択した省エネルギ化対策に関する識別子１０１０と、ユーザが変更項目として設定した仕様変更元データ１０２０とから、影響先データ１０３０及び関係データ１０４０を抽出する（ステップＳ１１０６）。
【００５５】
ここでは、図１０の設備仕様間関連情報１０００に示されるように、省エネルギ化対策の識別子１０１０として「冷熱系大温度差化」、そして仕様変更元データ１０２０の設備種別データ１０２１として「冷水負荷」、変更項目１０２２として「冷水負荷出入口温度差設定」（「冷水入口温度上限」と「冷水出口温度上限」の設定）に対応付けられた影響先データ１０３０として、符号１００１に示されるデータと符号１００２に示されるデータの２つを、ＥＦ構造改修操作誘導部１６が抽出する。
つまり、影響先データ１０３０として冷水二次ポンプの定格流量（符号１００１のケース）と、冷凍機の冷水出入口温度差仕様（符号１００２のケース）とがＥＦ構造改修操作誘導部１６により抽出される。そして、仕様変更元データ１０２０と影響先データ１０３０とを関係付ける関係データ１０４０が、ＥＦ構造改修操作誘導部１６によりそれぞれ抽出される。
【００５６】
続いて、ＥＦ構造改修操作誘導部１６は、ステップＳ１１０６で抽出した影響先データ１０３０の中から１つを選択する（ステップＳ１１０７）。ここでは、抽出した２つの影響先データ１０３０のうち、符号１００１のケースである冷水２次ポンプの仕様値変数の改修が選択されたものとする。
【００５７】
次に、ＥＦ構造改修操作誘導部１６は、対象設備探索部１６１（図１参照）に対して、影響先データ１０３０の設備種別データ１０３１を渡して、解析中データ管理部３０内のＥＦ構造モデルデータ３１に含まれる設備オブジェクト情報４００のうち、その設備種別データ４３０が、影響先データ１０３０の設備種別データ１０３１と一致するものを抽出する処理を指示する。そして、その結果として、設備オブジェクト情報４００の設備識別子データ４１０を取得する（ステップＳ１１０８）。ここでは、対象設備探索部１６１により、冷水二次ポンプＰ２２０９（図２参照）が抽出される。
【００５８】
続いて、ＥＦ構造改修操作誘導部１６は、仕様変更参考値計算部１６２（図１参照）に対して、選択した影響先データ１０３０に関する関係データ１０４０を渡す。そして、仕様変更参考値計算部１６２は、関係データ１０４０に記述されている計算式に従って、取得した設備識別子データ４１０で特定される設備の設備オブジェクト情報４００の仕様値変数１０３２を計算する（ステップＳ１１０９）。
このようにすることで、一次エネルギ消費量を減らすために設定を変更すべき設備の仕様値変数４４０として、ユーザに提示するための適切な参考値を求めることができる。
【００５９】
そして、ＥＦ構造改修操作誘導部１６は、ＥＦ構造設定解析画面３００上に、仕様値変数の変更をする必要のある設備と、ステップＳ１１０９で計算した適切な仕様値変数の値を参考値として表示する（ステップＳ１１１０）。具体的には、「設備△△△の仕様値変数○○○の値を変更してください（参考値＝□□□）。」のように表示する。
【００６０】
次に、ＥＦ構造改修操作誘導部１６は、エネルギシステム構成作図領域３１０（図３参照）において、ステップＳ１１０８で取得した設備識別子データ４１０で特定される設備を区別表示する（ステップＳ１１１１）。ここでは、冷水２次ポンプＰ２２０９が、例えばハイライト表示される。
【００６１】
続いて、ＥＦ構造改修操作誘導部１６は、区別表示した設備の設備属性ダイアログを表示する（ステップＳ１１１２）。ここでは、冷水二次ポンプＰ２２０９の設備オブジェクト情報４００のうち、仕様値変数４４０の「定格流量」がダイアログ表示される。
【００６２】
そして、ユーザは、ＥＦ構造改修操作誘導部１６により、ステップＳ１１１０で参考値として示された値をもとに、設備属性ダイアログで表示された仕様値変数４４０を更新する（ステップＳ１１１３）。
【００６３】
次に、ＥＦ構造改修操作誘導部１６は、すべての影響先データ１０３０の処理を終えたか否かを判断する（ステップＳ１１１４）。ここで、処理を終えていない影響先データ１０３０があれば、ステップＳ１１０７に戻り処理を続ける。一方、すべての影響先データ１０３０の処理が終わっていれば、解析情報管理部１４の処理により、改修したＥＦ構造モデルデータ３１のデータを、記憶部４０内の解析情報ＤＢ４１に格納した上で、ＥＦ構造改修処理を終える。
省エネルギ化対策として「冷熱系大温度差化」が選択された例においては、影響先データ１０３０として冷凍機の冷水出入口温度差仕様（符号１００２のケース）があるので、ＥＦ構造改修操作誘導部１６は、ステップＳ１１０７に戻って、冷凍機の冷水出入口温度差仕様を変更する誘導処理を行った後に、ＥＦ構造改修処理を終えることとなる。
このように「冷熱系大温度差化」というＥＦ構造改修処理を行うことにより、冷凍機の出入口の温度差を大きくし、循環する処理対象流体の流量を減らすことで、冷水ポンプの消費電力を減らし、全体として省エネルギ効果を得ることができる。
【００６４】
なお、ステップＳ１１０１において、ユーザが、ＥＦ構造設定解析画面３００（図３参照）のツール領域３２０内にある省エネルギ化対策選択領域３３０の中から、「冷水二次ポンプインバータ化」を選択した場合は、ステップＳ１１０２において、「冷水二次ポンプのインバータ化の設定有無を確認してください。」というメッセージがダイアログとして表示される（ステップＳ１１０２）。このことによりユーザに対し、一次エネルギ消費量を削減するために、冷水二次ポンプ２０９のインバータ化の設定をする必要があることを伝える。そして、冷水二次ポンプ２０９について区別表示を行い(ステップＳ１１０３)、さらに、区別表示した冷水二次ポンプ２０９の設備ダイヤロク表示を行うことで（ステップＳ１１０４）、ユーザにより冷水二次ポンプのインバータ化の設定がなされる（ステップＳ１１０５）。次に、ＥＦ構造改修操作誘導部１６は、記憶部４０に記憶された設備仕様間関連情報ＤＢ４２から、ユーザが選択した省エネルギ化対策である「冷水二次ポンプインバータ化」に対応付けられた影響先データ１０３０と関係データ１０４０を検索するが、該当する影響先データがないため、ＥＦ構造改修処理を終える。
また、省エネルギ対策として、例えば「インバータ化」を省エネルギ化対策選択領域３３０に設定した場合には、ＥＦ構造改修操作誘導部１６は、各設備の設備オブジェクト情報４００を参照して、インバータ化されていない設備をＥＦ構造設定解析画面３００上に選択可能に表示する。そして、ユーザにより選択された設備について、ＥＦ構造改修操作誘導部１６が、インバータ化の設定をし、消費電力を減らすことにより省エネルギ効果を得るようにすることもできる。
【００６５】
このようにすることで、本実施形態に係る省エネルギ化支援装置及び省エネルギ化支援方法は、設備に関する知識、設備の間を接続する際の条件（設備の仕様に関する条件、運転指令値に関する条件）などの様々なノウハウを有さない場合であっても、エネルギシステムの一次エネルギ消費量を削減する適切な改修案の作成を誘導することができる。さらに、その改修案の作成に要する時間を減縮することができる。
【００６６】
（省エネ効果解析処理）
次に、本実施形態に係る省エネ効果解析処理について説明する。
図１２は、省エネ効果解析部が行う省エネ効果解析処理の流れを示すフローチャートである。
まず、モニタ２１（図１参照）上の表示部に表示されたＥＦ構造設定解析画面３００（図３参照）のツール領域３２０に備えられた省エネ効果解析３２４の釦がユーザにより選択される（ステップＳ１２０１）。
【００６７】
続いて、省エネ効果解析部１６は、解析情報ＤＢ４１（図１参照）に記憶されているＥＦ構造モデルデータ３１の識別子のリストを、ＥＦ構造設定解析画面３００上に表示する（ステップＳ１２０２）。
【００６８】
次に、ユーザにより、表示されたＥＦ構造モデルデータ３１のリストの中から２つが選択される（ステップＳ１２０３）。ここでは、最初に選択したものを基準ケース、２番目に選択したものを改修ケースとする。ユーザは、ＥＦ構造設定部１１で設定した基準となるＥＦ構造モデルデータ３１と、ＥＦ構造改修部１６で改修したＥＦ構造モデルデータ３１の識別子を選択することで、２つのケースについての省エネ効果を比較するように設定することができる。
【００６９】
続いて、省エネ効果解析部１５は、選択された２つのＥＦ構造モデルデータ３１それぞれについて、記憶部４１（図１参照）の中の解析情報ＤＢ４１から期間計算結果データ３３を読み出す（ステップＳ１２０４）。そして、省エネ効果解析部１５は、読み出した期間計算結果データ３３から、電気、ガス、Ａ重油のそれぞれの項目に対応する消費量と、ＣＯ２排出量と、コストとを、省エネ結果比較表９００（図９参照）としてモニタ２１の表示部に表示する（ステップＳ１２０５）。
図９においては、基準となるＥＦ構造モデルデータ３１のケース（基準ケース）と、改修したＥＦ構造モデルデータ３１のケース（改修ケース）とを、電気、ガス及びＡ重油について、消費量、ＣＯ２排出量、コストそれぞれを比較して表示することを示している。
【００７０】
このようにすることで、本実施形態に係る省エネルギ化支援装置及び省エネルギ化支援方法は、ＥＦ構造設定部１１で設定した基準となるエネルギシステム構成と、ＥＦ構造改修操作誘導部１６の制御により改修したエネルギシステム構成とを比較し、省エネ効果を確認した上で、エネルギ効率を向上させた適切なエネルギシステム構成の改修案を決定することができる。
【００７１】
なお、本実施形態においては、エネルギシステムとして冷熱供給システム（図２参照）を具体例として説明したが、本発明に係る省エネルギ化支援装置及び省エネルギ化支援方法は、この冷熱供給システムに限定されることなく、様々なエネルギシステムの一次エネルギ消費量を削減する改修案の作成に適用することができる。
また、本実施形態では、冷凍機を例に説明したが、ボイラなどにも同様に適用できる。そして、送風機やコンプレッサにも同様に適用できる。さらには、電圧を変換する電力機器などにも同様に適用できる。
【００７２】
また、本実施形態に係るＥＦ構造設定解析画面３００（図３参照）において、断面状態計算３２１、期間計算３２２、ＥＦ構造モデルデータ一覧３２３、及び省エネ効果解析３２４の各釦、そして、省エネルギ化対策選択領域３３０内の各釦は、ツール領域３２０内に設定されるものとして説明した。しかし、これらの釦は、ツール領域３２０内に設定されると限定するものではなく、エネルギシステム構成作図領域３１０と、ツール領域３２０内の各装置や配管を示す図形とともに、モニタ２１の表示部に表示され機能すればよいものである。
【図面の簡単な説明】
【００７３】
【図１】本実施形態に係る省エネルギ化支援装置の構成例を示す機能ブロック図である。
【図２】本実施形態を適用するエネルギシステムの一例である冷熱供給システムの構成を示した図である。
【図３】本実施形態に係るＥＦ構造設定解析画面の一例を示す図である。
【図４】本実施形態に係る設備オブジェクト情報のデータ構造の一例を示す図である。
【図５】図２に示す冷熱供給システムにおいて、ＥＦ構造設定部が、ターボ冷凍機について設備オブジェクト情報を生成した例を示した図である。
【図６】図２に示す冷熱供給システムにおいて、ＥＦ構造設定部が、冷水負荷の設備オブジェクト情報を生成した例を示した図である。
【図７】本実施形態に係る接続線オブジェクト情報のデータ構造の一例を示す図である。
【図８】図２におけるターボ冷凍機と冷水一次ポンプを接続する接続線オブジェクト情報に含まれる接続情報定義データを説明するための概念図である。
【図９】省エネ効果解析部の処理による省エネ効果比較表の一例を示す図である。
【図１０】本実施形態に係る設備仕様間関連情報の一例を示す図である。
【図１１】ＥＦ構造改修操作誘導部が行うＥＦ構造改修処理の流れを示すフローチャートである。
【図１２】省エネ効果解析部が行う省エネ効果解析処理の流れを示すフローチャートである。
【符号の説明】
【００７４】
１      省エネルギ化支援装置
１０    制御部
１１    ＥＦ構造設定部
１２    断面状態計算部
１３    期間計算部
１４    解析情報管理部
１５    省エネ効果解析部
１６    ＥＦ構造改修操作誘導部
２０    入出力部
２１    モニタ
２２    キーボード
２３    マウス
３０    解析中データ管理部
３１    ＥＦ構造モデルデータ
３２    状態計算結果データ
３３    期間計算結果データ
４０    記憶部
４１    解析情報ＤＢ
４２    設備仕様間関連情報ＤＢ
４３    事例ＤＢ
１６１  対象設備探索部
１６２  仕様変更参考値計算部
２００  冷熱供給システム
２０１，２０２  ターボ冷凍機
２０３  吸収式冷凍機
２０４，２０５，２０６  冷水一次ポンプ
２０７，２０８  冷水ヘッダ
２０９  冷水二次ポンプ
２１０  冷水負荷
３００  ＥＦ構造設定解析画面
３１０  エネルギシステム構成作図領域
３２０  ツール領域
３３０  省エネルギ化対策選択領域
４００  設備オブジェクト情報
４１０  設備識別子データ
４２０  設備名データ
４３０  設備種別データ
４４０  仕様値変数
４５０  設定値変数
４６０  状態値変数
４７０  内部状態計算式
７００  接続線オブジェクト情報
７０１  接続情報定義データ
９００  省エネ効果比較表
１０００  設備仕様間関連情報
【図１】
0005017175.tif 000002
【図２】
0005017175.tif 000003
【図３】
0005017175.tif 000004
【図４】
0005017175.tif 000005
【図５】
0005017175.tif 000006
【図６】
0005017175.tif 000007
【図７】
0005017175.tif 000008
【図８】
0005017175.tif 000009
【図９】
0005017175.tif 000010
【図１０】
0005017175.tif 000011
【図１１】
0005017175.tif 000012
【図１２】
0005017175.tif 000013